(57)【要約】      （修正有）【課題】監視カメラを建物の構造および仕上げに影響されずに設置でき、設置後の監視カメラが建物の美観を損なわせず、乗客の邪魔にならず、かつ監視カメラで撮影した映像への外光の映り込みを低減できるエスカレータの監視装置を提供する。【解決手段】交差した状態で隣接する別のエスカレータとの間で狭角部を形成しており、この狭角部に設けられエスカレータの上昇運転時に乗客が狭角部に挟まれるのを防止する保護体としての固定保護体および可動警告体を有するエスカレータに対し、エスカレータの上り方向を前方向とした場合の可動警告体の後方に設けられ、監視カメラ２１を収容した透明なカメラ収容筒２０と、カメラ収容筒２０の内側に設けられ監視カメラ２１に向かって進む外光を遮る遮光性部材４０とを備えた。【選択図】図２
2011046517.tif 000002
【特許請求の範囲】
【請求項１】
下階の天井との間で、または、交差した状態で隣接する別のエスカレータとの間で狭角部を形成しており、この狭角部に設けられ前記エスカレータの上昇運転時に乗客が前記狭角部に挟まれるのを防止する保護体を有するエスカレータに対して設けられ、このエスカレータを監視カメラにより監視するエスカレータの監視装置において、
前記エスカレータの上り方向を前方向とした場合の前記保護体の後端側で前記保護体と一体に、または前記保護体と並んで、上下方向に延びた姿勢で設けられ、前記監視カメラを収容したカメラ収容筒と、
このカメラ収容筒の内側で前記監視カメラよりも下方に設けられ前記監視カメラに向かって進む外光を遮る遮光性部材とを備え、
前記カメラ収容筒は前記監視カメラの視野を開放する透明部を有する
ことを特徴とするエスカレータの監視装置。
【請求項２】
請求項１記載のエスカレータの監視装置において、
前記遮光性部材は、前記監視カメラの垂直方向の視野の下縁と前記カメラ収容筒の内壁面とが交差する位置に近接し、前記カメラ収容筒の内側の空間を前記カメラ収容筒の軸方向に分断するよう設けられた
ことを特徴とするエスカレータの監視装置。
【請求項３】
請求項２に記載のエスカレータの監視装置において、
前記保護体および前記カメラ収容筒はいずれも透明な部材から成り、
前記遮光性部材は前記カメラ収容筒の軸方向に交差する方向に広がったフィルム状である
ことを特徴とするエスカレータの監視装置。
【発明の詳細な説明】
【技術分野】
【０００１】
本発明は、エスカレータを監視カメラを用いて監視するエスカレータの監視装置に関する。
【背景技術】
【０００２】
エスカレータが設置される建物において、その建物にエスカレータが単独で設置されると、移動手摺と天井との間に狭角部（三角部）が形成されることになる。また、エスカレータの設置構造には、上下階床間に上りエスカレータと下りエスカレータとがその側面視において交差して併設されたものもある。このエスカレータの設置構造の場合には、エスカレータの移動手摺ともう一方のエスカレータの底部との間に狭角部が形成される。これらの狭角部には、乗客が挟まれることを防ぐための保護体が設けられるのが一般的である。
【０００３】
特許文献１に開示されたエスカレータの監視装置は、下階床側において保護体としての狭角部保護板に対向して位置する建物の柱に、乗客の状況を撮影可能に設けられた監視カメラと、狭角部保護板の揺れを検出するセンサとを備えている。そして、センサが狭角部保護板の揺れを検出した時点の前後所定時間内で監視カメラにより撮影された映像を記録するようになっている。これにより、狭角部近傍における乗客の転倒、転落、あるいは挟まれ事故の状況の映像を保存することができる。
【０００４】
特許文献２に開示されたマンコンベアの安全装置においては、保護体としてのガード板の手前に、天井から筒状の検出体が吊り下げられている。この検出体の下端部は弾性体を介して欄干に繋がれている。上りエスカレータの乗客は保護体に接触する前に検出体に接触することによって、保護体に接触する前に狭角部への接近に気付くことができる。
【先行技術文献】
【特許文献】
【０００５】
【特許文献１】特開２００２−１１４４７５号公報
【特許文献２】実開昭６１−１５４２７８号公報
【発明の概要】
【発明が解決しようとする課題】
【０００６】
エスカレータの監視においては、エスカレータの乗り場およびその周辺から、踏段、移動手摺、降り場およびその周辺に至るまでの範囲を監視できることが望ましい。従来、その範囲を監視できるようにするために、複数個の監視カメラを建物の壁、天井、柱の少なくともいずれかに分散させて設けている。しかし、天井が吹抜け構造である場合、天井が特殊仕上げである場合、柱の表面および壁面がガラス仕上げである場合など、天井、壁、柱が特殊なものである場合、監視カメラを設置することができない。天井、壁、柱が特殊なものでないとしても、建物の美観をできるだけ損なわせないこと、および、乗客の邪魔にならないことを考慮した場合には、監視カメラの設置個所が制限されるため、監視カメラの視野を確保することが困難なことがある。
【０００７】
また、天井、壁、柱に監視カメラを設置した場合、建物内の照明の光などの外光が監視カメラの視野に入射され、監視カメラにより撮影された映像にその外光が映り込み、肝心な個所が見にくくなることがある。
【０００８】
本発明は前述の事情を考慮してなされたものであり、その目的は、監視カメラを建物の構造および仕上げに影響されずに設置でき、かつ、設置後の監視カメラが建物の美観を損なわせず、かつ、乗客の邪魔にならず、かつ、監視カメラで撮影した映像への外光の映り込みを低減できるエスカレータの監視装置を提供することにある。
【課題を解決するための手段】
【０００９】
〔１〕  前述の目的を達成するために、本発明に係るエスカレータの監視装置は、下階の天井との間で、または、交差した状態で隣接する別のエスカレータとの間で狭角部を形成しており、この狭角部に設けられ前記エスカレータの上昇運転時に乗客が前記狭角部に挟まれるのを防止する保護体を有するエスカレータに対して設けられ、このエスカレータを監視カメラにより監視するエスカレータの監視装置において、前記エスカレータの上り方向を前方向とした場合の前記保護体の後端側で前記保護体と一体に、または前記保護体と並んで、上下方向に延びた姿勢で設けられ、前記監視カメラを収容したカメラ収容筒と、このカメラ収容筒の内側で前記監視カメラよりも下方に設けられ前記監視カメラに向かって進む外光を遮る遮光性部材とを備え、前記カメラ収容筒は前記監視カメラの視野を開放する透明部を有することを特徴とする。
【００１０】
この「〔１〕」に記載のエスカレータの監視装置において、カメラ収容筒は狭角部において保護体と一体、または保護体と並んで設けられるものであり、このカメラ収容筒に監視カメラが収容されている。これにより、建物の構造および仕上げに影響されずに監視カメラを設置することができる。さらに、設置後の監視カメラは建物の美観を損なわせず、かつ乗客の邪魔にならない。
【００１１】
また、カメラ収容筒に監視カメラが収容されているので、監視カメラの視野に入射される外光には、カメラ収容筒の下端からカメラ収容筒内に入射された光そのもの、または、その光がカメラ収容筒の内壁面で反射して視野に達するものがある。遮光性部材は、カメラ収容筒の内側において、それらの外光が監視カメラの視野に入射することを阻止する。これにより監視カメラで撮影した映像に外光が映り込むことを低減することができる。
【００１２】
〔２〕  本発明に係るエスカレータの監視装置は「〔１〕」記載のエスカレータの監視装置において、前記遮光性部材は、前記監視カメラの垂直方向の視野の下縁と前記カメラ収容筒の内壁面とが交差する位置に近接し、前記カメラ収容筒の内側の空間を前記カメラ収容筒の軸方向に分断するよう設けられたことを特徴とする。
【００１３】
この「〔２〕」に記載のエスカレータの監視装置において、監視カメラの垂直方向の視野の下縁とカメラ収容筒の内壁面とが交差する位置の近傍よりも下側から監視カメラに向かってカメラ収容筒内を進む外光は、遮光性部材により遮られるため監視カメラの視野に入射しない。これにより、監視カメラの視野への外光の入射をより効果的に低減することができる。
【００１４】
〔３〕  本発明に係るエスカレータの監視装置は「〔２〕」に記載のエスカレータの監視装置において、前記保護体および前記カメラ収容筒はいずれも透明な部材から成り、前記遮光性部材は前記カメラ収容筒の軸方向に交差する方向に広がったフィルム状であることを特徴とする。
【００１５】
カメラ収容筒内において監視カメラの視野への外光の入射を低減する構成としては、カメラ収容筒の内壁面に遮光剤を塗布すること、または、その内壁面を遮光性フィルムで覆うことも考えられる。この場合、カメラ収容筒の色は外観上、不透明（遮光性のため）な有色になる。しかし、保護体が透明な部材である場合、透明な保護体に不透明な有色のカメラ収容筒が並んで配置された状態では、意匠面において違和感を生じさせることが懸念される。「〔３〕」に記載のエスカレータの監視装置によれば、カメラ収容筒の外観上有色になる部分は、監視カメラが収容される部分と、フィルム状の遮光性部材の肉厚の部分であり、カメラ収容筒の大部分は外観上透明に見えるので、保護体とカメラ収容筒との色の違いに起因する意匠面の違和感を生じさせないようにすることができる。
【発明の効果】
【００１６】
本発明によれば、前述したように、監視カメラを建物の構造および仕上げに影響されずに設置でき、かつ、設置後の監視カメラが建物の美観を損なわせず、かつ、乗客の邪魔にならず、かつ、監視カメラで撮影した映像への外光の映り込みを低減できる。
【図面の簡単な説明】
【００１７】
【図１】本発明に係るエスカレータの設置構造の一例であり、交差して設置された複数のエスカレータの側面図である。
【図２】本発明の一実施形態に係るエスカレータの監視装置における監視カメラの設置構造を示す部分断面図である。
【図３】カメラ収容筒の肉厚を形成している壁における外光の反射の様子を示す図である。
【図４】カメラ収容筒の内側において反射する外光の様子を示す図。
【図５】本発明に係るエスカレータの設置構造の図１とは別の例であり、建物に単独に設けられたエスカレータの側面図である。
【発明を実施するための形態】
【００１８】
本発明の一実施形態に係るエスカレータの監視装置について説明する。
【００１９】
図１に示す３階建ての建物内において、１階床と２階床との間に設置されて上昇運転されるエスカレータである第１上りエスカレータ１Ａと、２階床と３階床との間に設置されて上昇運転されるエスカレータである第２上りエスカレータ１Ｂとは、第１上りエスカレータ１Ａの降り場と第２上りエスカレータ１Ｂの乗り場とが踊り場を形成し、側面視において屈曲形状を成すよう併設されている。これと同様に、１階床と２階床との間に設置されて下降運転されるエスカレータである第１下りエスカレータ２Ａと、２階床と３階床との間に設置されて下降運転されるエスカレータである第２下りエスカレータ２Ｂとは、第１下りエスカレータ２Ａの乗り場と第２下りエスカレータ２Ｂの降り場とが踊り場を形成し、側面視において第１上りエスカレータ１Ａと第２上りエスカレータ１Ｂの場合とは逆向きに屈曲形状を成すよう併設されている。建物内のスペースを有効に利用するため、第１上りエスカレータ１Ａと第２下りエスカレータ２Ｂは、上下方向において重なって配置されている。これと同様に第２上りエスカレータ１Ｂと第１下りエスカレータ２Ａも上下方向において重なって配置されている。
【００２０】
このように第１上りエスカレータ１Ａ、第２上りエスカレータ１Ｂ、第１下りエスカレータ２Ａおよび第２下りエスカレータ２Ｂが設置されているため、第１上りエスカレータ１Ａの移動手摺５と第１下りエスカレータ２Ａの底部２ａとの間、第１下りエスカレータ２Ａの移動手摺５と第１上りエスカレータ１Ａの底部２ａとの間、第１上りエスカレータ１Ａの移動手摺５と第２上りエスカレータ１Ｂの底部２ａとの間、第１下りエスカレータ２Ａの移動手摺５と第２下りエスカレータ２Ｂの底部２ａとの間、第２上りエスカレータ１Ｂの移動手摺５と第２下りエスカレータ２Ｂの底部２ａとの間、第２下りエスカレータ２Ｂの移動手摺５と第２上りエスカレータ１Ｂの底部２ａとの間のそれぞれには、狭角部７が形成されている。
【００２１】
第１上りエスカレータ１Ａは、１階床から２階床に架け渡されて第１上りエスカレータ１Ａの骨組みを成したフレーム３と、このフレーム３に無端状に移動可能に設けられた複数の踏段（図示してない）と、これらの踏段のうち乗客を運搬する踏段の軌道を挟んで対向して位置する１対の欄干４と、１対の欄干４のそれぞれを、その外側すなわち踏段の軌道側とは反対側から支持する外デッキボード６とを備えている。移動手摺５は、欄干４周りを無端状に移動するようになっている。フレーム３の内側には、図示してないが、モータと、このモータの出力を踏段および移動手摺５に伝達する伝達装置、モータを制御する制御盤などが設けられている。フレーム３は外デッキボード６などの板部材に覆われており、これによって、前出のモータ、伝達装置および制御盤などを格納する格納部２が形成されている。格納部２の下面が第１上りエスカレータ１Ａの底部２ａである。
【００２２】
第２上りエスカレータ１Ｂ、第１下りエスカレータ２Ａおよび第２下りエスカレータ２Ｂも、第１上りエスカレータ１Ａと同様に構成されている。なお、第２上りエスカレータ１Ｂの底部２ａには、第１下りエスカレータ２Ａを照らす照明装置（図示していない）が設けられている。第２下りエスカレータ２Ｂの底部２ａには、第１上りエスカレータ１Ａを照らす照明装置（図示していない）が設けられている。
【００２３】
全ての狭角部７には、乗客が挟まれるのを防ぐための保護体が設けられている。例えば、第１上りエスカレータ１Ａの移動手摺５と第１下りエスカレータ２Ａの底部２ａとによって形成された狭角部７には、その保護体として、第１下りエスカレータ２Ａの底部２ａに対し固定された台形状の板部材から成る固定保護体８が設けられている。さらに、第１上りエスカレータ１Ａの上り方向（矢印Ｕ方向）を前方向とした場合の固定保護体８の後側には、第１下りエスカレータ２Ａの底部２ａに吊り下げられた台形状の板部材から成る可動警告体９とが設けられている。この可動警告体９も保護体の一種である。固定保護体８および可動警告体９は互いに同一材質の部材、例えば透明アクリル製の部材である。すなわち、本実施形態においては保護体全体が透明な部材から成る。固定保護体８および可動警告体９は外デッキボード６の上方に配置されている。
【００２４】
可動警告体９の後端には、上下方向に延びた透明アクリル製の筒部９ａが一体に設けられている。この筒部９ａは、可動警告体９の板厚寸法よりも大きな外径寸法Ｄの円筒状である。すなわち、乗客が可動警告体９に接触したときの衝撃を拡散しやすくすることで、乗客の可動警告体９への接触時の安全性を高めている。乗客は固定保護体８に接触する前に可動警告体９に接触することによって、固定保護体８に接触する前に狭角部７の接近に気付くことができる。
【００２５】
固定保護体８、可動警告体９および筒部９ａのそれぞれの下端は全て、移動手摺５の上面よりも低い位置に配置されている。
【００２６】
本実施形態に係る監視装置は、可動警告体９の後方で上下方向に延びた姿勢で設けられた円筒状のカメラ収容筒２０と、図２に示すようにカメラ収容筒２０に収容された状態で設置された監視カメラ２１と、これらカメラ収容筒２０および監視カメラ２１を第１下りエスカレータ２Ａの底部２ａに設置するためのベース部材２３、リング部材２４，２５、取付部材２６等とを有する。
【００２７】
カメラ収容筒２０は、可動警告体９と別体であり、可動警告体９と前後方向に並んで位置する。このカメラ収容筒２０も固定保護体８および可動警告体９と同じく全体が透明アクリル製の部材、すなわち、監視カメラ２１の視野ＦＶを開放する透明部を有する部材である。カメラ収容筒２０の軸方向（図１，図２の上下方向）の長さ寸法は、カメラ収容筒２０が第１下りエスカレータ２Ａの底部２ａに設置された状態において、カメラ収容筒２０の下端が移動手摺５の上面よりも２００ｍｍ以上下方に位置するよう設定されている。
【００２８】
ベース部材２３は、第１下りエスカレータ２Ａの底部２ａにネジ止めにより固定された板部２３ａと、前後方向に貫通した孔を形成した環状を成し板部２３ａから下方向に突出して設けられた２つの環状支持部２３ｂ，２３ｃとを有する。これら環状支持部２３ｂ，２３ｃは前後方向に並んで位置する。また、これら環状支持部２３ｂ，２３ｃにはリング部材２４，２５のそれぞれが挿通されている。
【００２９】
取付部材２６は、カメラ収容筒２０の径方向（前後方向）に対向して位置した吊り部２７，２８と、これらの吊り部２７，２８を連結した連結部２９とを有する。吊り部２７には吊り孔２７ａが形成されている。この吊り孔２７ａはカメラ収容筒２０の径方向（前後方向）に貫通した孔である。吊り孔２７ａと同様の吊り孔（図示してない）が、吊り部２８にも形成されている。吊り部２７の吊り孔２７ａおよび吊り部２８の吊り孔にリング部材２４，２５がそれぞれ挿通されていることによって、取付部材２６が第１下りエスカレータ２Ａの底部２ａに吊り下げられている。
【００３０】
カメラ収容筒２０は吊り部２７，２８にネジ２７ｃ，２８ｃによりネジ止めされている。つまり、カメラ収容筒２０は、ベース部材２３、リング部材２４，２５および取付部材２６を介して第１下りエスカレータ２Ａの底部２ａに吊り下げられている。また、カメラ収容筒２０の下端はワイヤ８０を介して第１上りエスカレータ１Ａの外デッキボード６に弾性的に結合しており、これによって、通常時にはカメラ収容筒２０の揺れが抑えられ、乗客がカメラ収容筒２０に接触したときには乗客に与えられる衝撃が低減される。
【００３１】
監視カメラ２１は、円筒状のケース２１ａと、このケース２１ａの一端面にドーム状に突出して設けられたレンズカバー２１ｂとを有する。ケース２１ａのレンズカバー２１ｂ側とは反対側の端面は、前出の取付部材２６の連結部２９に対しネジ止めされている。つまり、監視カメラ２１はカメラ収容筒２０とともに第１下りエスカレータ２Ａの底部２ａに吊り下げられている。
【００３２】
図２において、ＦＶは監視カメラ２１の視野であり、θはその視野ＦＶの垂直方向の視野角である。本実施形態に係る監視装置は、カメラ収容筒２０の内側に遮光性部材３０を備えている。この遮光性部材３０はフィルム状に形成されており、カメラ収容筒２０の内側の空間をカメラ収容筒２０の軸方向に分断して位置する。また、この遮光性部材３０は、監視カメラ２１の垂直方向の視野ＦＶの下縁とカメラ収容筒２０の内壁面２０ａ１とが交差する位置Ａに近接して設けられている。また、カメラ収容筒２０は前述のようにアクリル製であるが、遮光性部材３０はアクリルとは異なる材料製、例えばポリエチレンテレフタレート製である。
【００３３】
ここで、カメラ収容筒２０内において監視カメラ２１に入射する外光について説明する。
【００３４】
図３において、３１はカメラ収容筒２０の内側の空間（以下「筒内空間」という）であり、３２はカメラ収容筒２０の外側の空間（以下「筒外空間」という）であり、２０ａはカメラ収容筒２０の壁である。また、ｎａは空気の屈折率であり、ｎｂ（ｎｂ＜ｎａ）は壁２０ａの屈折率である。外光Ｒ１はカメラ収容筒２０の下端の開口から筒内空間３１に射し込む。外光Ｒ１の壁２０ａに対する入射角αが、臨界角（＝ａｒｃｓｉｎ（ｎａ／ｎｂ））よりも大きい場合、その外光Ｒ１は反射光壁２０ａの表面で全反射して反射光Ｒ２になり、斜め上方に進む。入射角αが臨界角よりも小さい場合、壁２０ａを透過して筒外空間３２に出る透過光Ｒ３になる。空気の屈折率ｎａは壁２０ａの屈折率ｎｂよりも大きいので、壁２０ａと筒外空間３２との境界面での全反射は生じない。反射光Ｒ２および透過光Ｒ３のうち反射光Ｒ２は、監視カメラ２１の視野ＦＶに入り込むことがある。つまり、図４に示すように、カメラ収容筒２０内に射し込んだ外光Ｒは、筒内空間３１において壁２０ａでの全反射を繰り返して視野ＦＶに達することがある。前出の遮光性部材３０は位置Ａの近傍において、そのように視野ＦＶに向かって進んでくる光Ｒを遮っている。
【００３５】
本実施形態に係る監視装置によれば次の効果を得られる。
【００３６】
本実施形態に係る監視装置において、カメラ収容筒２０は狭角部７において保護体の一種である可動警告体９と並んで設けられるものであり、このカメラ収容筒２０に監視カメラ２１が収容されている。これによって、建物の構造および仕上げに影響されずに監視カメラ２１を設置することができる。さらに、設置後の監視カメラ２１は建物の美観を損なわせず、かつ乗客の邪魔にならない。
【００３７】
本実施形態に係る監視装置において、監視カメラ２１の垂直方向の視野ＦＶの下縁とカメラ収容筒２０の内壁面とが交差する位置Ａの近傍よりも下側から監視カメラ２１に向かってカメラ収容筒２０内を進む外光は、遮光性部材３０により遮られるため監視カメラ２１の視野ＦＶに入射しない。これにより、監視カメラ２１の視野ＦＶへの外光の入射を低減することができる。
【００３８】
本実施形態に係る監視装置において、カメラ収容筒２０は可動警告体９と並んで設けられ、可動警告体９にはカメラ収容筒２０と同様の形状の筒部９ａが設けられている。これにより、監視カメラ２１を設置するために特別にカメラ収容筒２０が設けられたという違和感を与えにくくすることができる。
【００３９】
本実施形態に係る監視装置において、監視カメラ２１は乗客の手の届く高さ位置にあるが、これらはカメラ収容筒２０内に収容されているので、乗客との接触を防止することができる。つまり、乗客による悪戯を防止でき、また、乗客にとって安全である。
【００４０】
本実施形態に係る監視装置において、固定保護体８、可動警告体９、カメラ収容筒２０はいずれも透明な部材である。また、カメラ収容筒２０においては監視カメラ２１が収容される部分と、フィルム状の遮光性部材３０の肉厚の部分とが外観上有色に見えるが、カメラ収容筒２０の大部分は外観上透明に見える。これにより、固定保護体８および可動警告体９とカメラ収容筒２０との色の違いに起因する意匠面の違和感を生じさせないようにすることができる。
【００４１】
本実施形態に係る監視装置において、カメラ収容筒２０と遮光性部材３０は異なる材料製であるので、カメラ収容筒２０と遮光性部材３０とが互いの接触部において溶け合って接着することがない。
【００４２】
なお、前述の実施形態に係る監視装置において、カメラ収容筒２０は可動警告体９の別体であって、可動警告体９よりも後方で可動警告体９と並んで位置するものであったが、可動警告体９に一体に設けられた筒部９ａがカメラ収容筒であってもよい。
【００４３】
前述の実施形態に係るエスカレータの監視装置において、監視カメラ２１は、交差するエスカレータに形成された狭角部７に設置されたものである。狭角部はエスカレータの底部と移動手摺との間に形成されるものだけではない。図５に示すエスカレータの設置構造では、建物の１階床から２階床に乗客を搬送する上りエスカレータ９０が建物に単独で設けられている。この上りエスカレータ９０の移動手摺５と１階の天井９１との間にも、狭角部９２が形成されている。この狭角部９２に、固定保護体８、可動警告体９とともにカメラ収容筒２０を設けて、このカメラ収容筒２０に監視カメラ２１を収容してもよい。
【００４４】
また、図５に示した固定保護体８の後端には可動警告体９の筒部９ａと同様の筒部９３が設けられている。狭角部７，９２には可動警告体９および筒部９ａが設けられない場合もある。この場合、乗客の保護の観点から固定保護体８の後端には筒部９３が設けられるので、この筒部９３をカメラ収容筒として用いてもよい。
【符号の説明】
【００４５】
１Ａ  第１上りエスカレータ
１Ｂ  第２上りエスカレータ
２Ａ  第１下りエスカレータ
２Ｂ  第２下りエスカレータ
２  格納部
２ａ  底部
３  フレーム
４  欄干
５  移動手摺
６  外デッキボード
７  狭角部
８  固定保護体（保護体）
９  可動警告体（保護体）
９ａ  筒部
２０  カメラ収容筒
２０ａ  壁
２０ａ１  内壁面
２１  監視カメラ
２１ａ  ケース
２１ｂ  レンズカバー
２３  ベース部材
２３ａ  板部
２３ｂ，２３ｃ  環状支持部
２４，２５  リング部材
２６  取付部材
２７，２８  吊り部
２７ａ  吊り孔
２７ｂ  ネジ孔
２７ｃ，２８ｃ  ネジ
２９  連結部
３１  筒内空間
３２  筒外空間
４０  遮光性部材
８０  ワイヤ
９０  上りエスカレータ
９１  天井
９２  狭角部
９３  筒部
【図１】
2011046517.tif 000003
【図２】
2011046517.tif 000004
【図３】
2011046517.tif 000005
【図４】
2011046517.tif 000006
【図５】
2011046517.tif 000007